【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
少なくとも筆記手段と撮像手段と送信手段を有するデジタルペンを使用した運転実技診断支援システムであって、
前記システムは、少なくとも指定路上コース図と運転実技診断区分及び減点項目が印刷によって表示された運転実技診断表と、
筆記手段によって前記指定路上コース図と前記運転実技診断表の減点項目にチェックマークを記載し、撮像手段によって運転実技診断表にチェックマークを記載した部分のドットパターン情報を運転情報として取得し、送信手段によって運転情報を適時通信装置に送信するデジタルペンと、
デジタルペンに接続され、運転実技診断支援サーバに運転情報を送信する通信装置と、
ネットワーク上で通信装置に接続されたデジタルペンシステム管理サーバと、
ネットワークを介して接続され、前記運転情報から運転実技成績データを作成する運転実技診断支援サーバと、
運転実技成績データによって運転実技成績表を出力するプリンタと、
を備えたことを特徴とする運転実技診断支援システム。
【請求項２】
請求項１に記載の運転実技診断支援システムにおいて、
デジタルペンシステム管理サーバの機能は、通信装置に搭載されたことを特徴とする運転実技診断支援システム。
【請求項３】
請求項１又は２に記載の運転実技診断支援システムを使用した運転実技診断支援方法であって、
デジタルペンによって指定路上コース図と運転実技診断表に運転情報を記載し、前記運転情報を通信装置に送信するステップと、
デジタルペンシステム管理サーバの機能によって、運転情報をテキストデータに変換するステップと、テキストデータに変換された運転情報を運転実技診断支援サーバに送信するステップと、
運転実技診断支援サーバによって運転情報から減点内容を解析して診断結果を導き出すステップと、前記診断結果をプリンタによって運転実技成績表としてプリントするステップと、を含むステップからなることを特徴とする運転実技診断支援方法。
【手続補正２】
【補正対象書類名】明細書
【補正対象項目名】０００１
【補正方法】変更
【補正の内容】
【０００１】
本発明は、運転実技診断支援システム及び支援方法に関し、詳しくは、運転情報の入力にデジタルペンを使用し、デジタルペン読取り専用ドットパターンを印刷した運転実技診断表を使用する運転実技診断支援システム及び支援方法に関する。
【手続補正３】
【補正対象書類名】明細書
【補正対象項目名】０００７
【補正方法】変更
【補正の内容】
【０００７】
前記課題を解決するために、本発明の、運転実技診断支援システム及び支援方法の第一の態様は、少なくとも筆記手段と撮像手段と送信手段を有するデジタルペンを使用した運転実技診断支援システムであって、前記システムは、少なくとも指定路上コース図と運転実技診断区分及び減点項目が印刷によって表示された運転実技診断表と、筆記手段によって前記指定路上コース図と前記運転実技診断表の減点項目にチェックマークを記載し、撮像手段によって運転実技診断表にチェックマークを記載した部分のドットパターン情報を運転情報として取得し、送信手段によって運転情報を適時通信装置に送信するデジタルペンと、デジタルペンに接続され、運転実技診断支援サーバに運転情報を送信する通信装置と、ネットワーク上で通信装置に接続されたデジタルペンシステム管理サーバと、ネットワークを介して接続され、前記運転情報から運転実技成績データを作成する運転実技診断支援サーバと、運転実技成績データによって運転実技成績表を出力するプリンタと、を備えたことを特徴とするものである。
【手続補正４】
【補正対象書類名】明細書
【補正対象項目名】０００９
【補正方法】変更
【補正の内容】
【０００９】
また、第三の態様は、第一又は第二の態様の運転実技診断支援システムを使用した運転実技診断支援方法であって、デジタルペンによって指定路上コース図と運転実技診断表に運転情報を記載し、前記運転情報を通信装置に送信するステップと、デジタルペンシステム管理サーバの機能によって、運転情報をテキストデータに変換するステップと、テキストデータに変換された運転情報を運転実技診断支援サーバに送信するステップと、運転実技診断支援サーバによって運転情報から減点内容を解析して診断結果を導き出すステップと、前記診断結果をプリンタによって運転実技成績表としてプリントするステップと、を含むステップからなることを特徴とするものである。
【手続補正５】
【補正対象書類名】明細書
【補正対象項目名】００１０
【補正方法】変更
【補正の内容】
【００１０】
本発明の運転実技診断支援システム及び支援方法によって、運転実技診断支援サーバが取得した運転情報から運転実技成績データを自動的に作成することによって、評価点と所見を含めた診断結果を運転実技診断が終わった直後に、運転実技成績表の状態で運転者に提供することができ、その結果、従来の、解答情報を分析して採点情報を導き出すために即時性に欠けるという課題を解決することができた。
【手続補正６】
【補正対象書類名】明細書
【補正対象項目名】００１１
【補正方法】変更
【補正の内容】
【００１１】
以下、図面を参照して、本発明の運転実技診断支援システム及び支援方法について説明する。
図１は、本実施の形態の運転実技診断支援システムを構築するための装置や運転実技診断表等について説明するための図，図２は、本実施の形態の運転実技診断支援システムで使用される運転実技診断表の一例について説明するための図，図３は、図２の運転実技診断表にさらに成績を加えて表示した運転実技成績表の一例について説明するための図，図４は、本実施の形態の運転実技診断支援システムを構築するための装置と装置の主な役割について説明するための図，図５は、診断者が運転実技診断表に運転状況を記載する手順の一例について説明するための図，図６は、運転実技診断表の減点項目別減点数の一例について説明するため図，図７は、総合判定結果と評価点との関連の一例について説明するための図，図８は、デジタルペンの一例について説明するための図，図９は、専用ドットパターンの一例について説明するための図，である。
【手続補正７】
【補正対象書類名】明細書
【補正対象項目名】００１２
【補正方法】変更
【補正の内容】
【００１２】
図１を参照して、本実施の形態の運転実技診断支援システムを構築するための装置や運転実技診断表等について説明する。
本実施の形態の運転実技診断支援システムは、少なくとも筆記手段と撮像手段と送信手段を有するデジタルペンを使用した運転実技診断支援システムであって、前記システムは、少なくとも指定路上コース図と運転実技診断区分及び減点項目が印刷によって表示された運転実技診断表６と、筆記手段によって前記指定路上コース図と前記運転実技診断表の減点項目にチェックマークを記載し、撮像手段によって運転実技診断表にチェックマークを記載した部分のドットパターン情報を運転情報として取得し、送信手段によって運転情報を適時通信装置に送信するデジタルペン１と、デジタルペンに接続され、運転実技診断支援サーバ３に運転情報を送信する通信装置２と、ネットワーク上で通信装置２に接続されたデジタルペンシステム管理サーバ３と、ネットワークを介して接続され、前記運転情報から運転実技成績データを作成する運転実技診断支援サーバ４と、運転実技成績データによって運転実技診断表にさらに成績を加えて運転実技成績表７を出力するプリンタ５によって構築される。
【手続補正８】
【補正対象書類名】明細書
【補正対象項目名】００２３
【補正方法】変更
【補正の内容】
【００２３】
図２を参照して、本発明の運転実技診断支援システムで使用される運転実技診断表の一例について説明する。
運転実技診断支援システムで使用される運転実技診断表６は、例えば、最上段が指定路上コース図６１に、その下側が運転実技診断表のチェックマーク記載欄６２に、その下側が所見記載欄６３に、最下部分が運転者情報欄６４になっている。
また、運転実技診断表６の運転情報記載面には、デジタルペン読取り専用ドットパターンが印刷されている。
運転実技診断表のチェックマーク記載欄６２の右上の部分には、記載された運転情報を通信装置に送信するための送信ボックス６５が印刷によって形成されている。
図中６２１は、デジタルペンで記入したチェックマークの一例である。
診断者は、デジタルペンの筆記手段によって運転者の減点項目を運転実技診断表のチェックマーク記載欄６２上にチェックマークによって記載してゆく。
チェックマークは、区分が記載された左側の区分番号の近傍に記載され、具体的な減点項目の部分にも記載される。
運転実技診断が終了すると、送信ボックス６５にチェックマークが記載され、運転情報が通信装置に送信される。
【手続補正９】
【補正対象書類名】明細書
【補正対象項目名】００２４
【補正方法】変更
【補正の内容】
【００２４】
図２の例では、「区分項目番号７」の「交差点の通行法」の区分項目で、「巻込確認」を怠ったとして、「巻込確認減点」と診断され、印刷された区分項目番号と減点項目の近傍にチェックマークが記載されている。
更に、指定路上コース図６１の減点が発生した部分にチェックマークが記載されている。
前述のように、指定路上コース図６１，運転実技診断表のチェックマーク記載欄６２，所見記載欄６３には、ドットパターンが印刷されており、チェックマークが記載される時点でマークが記載された近傍のドットパターン情報がデジタルペンの撮像部によって読み取られる。
「区分項目番号６，１１，１２」についても同様、減点項目としてチェックマークが記載されている。
また、「区分項目番号８」の最高速度の項目で、「速度超過」欄に「１５ｋｍ／ｈ」と記載され、指定路上コース図６１にもチェックマークが記載されている。
以上のチェックマーク記載項目は、何れも減点対象項目になっており、送信ボックス６５にチェックマークが記載されると、チェックされた情報が運転情報として、デジタルペンから通信装置に、更に、運転実技診断支援サーバに送信される。
【手続補正１０】
【補正対象書類名】明細書
【補正対象項目名】００２６
【補正方法】変更
【補正の内容】
【００２６】
図３を参照して、本発明の運転実技診断支援システムで使用される運転実技成績表の一例について説明する。
運転実技成績表７は、前記運転実技診断表６に成績データを加えて表示したシートであって、その構成は、図２で説明した運転実技診断表と略同じで、最上段が指定路上コース図７１に、その下側が運転実技診断表のチェックマーク記載欄７２に、その下側が所見記載欄７３に、最下部分が運転者情報欄７４になっている。
運転実技成績表７は、運転実技診断表をプリント媒体として流用することも可能である。なお、運転実技成績表７の表面にはデジタルペン専用のドットパターンは、必ずしも印刷される必要はない。
診断による評価点は、運転者情報欄７４にプリントされる。
【手続補正１１】
【補正対象書類名】明細書
【補正対象項目名】００２８
【補正方法】変更
【補正の内容】
【００２８】
さらに、運転実技成績表のチェックマーク記載欄７２の「総合判定」結果が「○」マークによって表示される。
また、所見記載欄７３に所見がプリントされる。
例えば、「安全運転を心掛ける姿勢が伺えますが、交差点を通行する際の安全意識が散漫なように見受けられます。注意点として、１）一時停止の場所は、危険が発生しやすい場所なので、出すぎたりしないよう、確実に停止することを心がけてください。２）左折の際、左側を通行している自転車等が居る可能性がありますので目視確認をしましょう。」と、プリントされている。
さらに、前述のように、運転者情報欄７４に評価点が「８０点」とプリントされている。
【手続補正１２】
【補正対象書類名】明細書
【補正対象項目名】００２９
【補正方法】変更
【補正の内容】
【００２９】
図４を参照して、本発明の運転実技診断支援システムを構築するための装置と装置の主な役割について、手順にしたがって説明する。
デジタルペン１は、筆記手段によって運転実技診断表に運転情報を記載し、デジタルペンの記憶部に記憶し、運転情報を通信装置に送信する（ステップ１：以下Ｓ１と記載する）。
通信装置２は、デジタルペンシステム管理サーバ３に受信した運転情報を送信する（Ｓ２）。
デジタルペンシステム管理サーバ３は、テキストデータ化した運転情報を通信装置２に送信する（Ｓ３）。
通信装置２は、運転診断支援サーバ４にテキストデータ化した運転情報を送信する（Ｓ４）。
運転診断支援サーバ４は、テキストデータ化した運転情報を受信し（Ｓ５）、減点内容を専用プログラムで解析し（Ｓ６）、運転者別に運転情報と診断結果を一緒にしてＤＢに格納（登録）する（Ｓ７）。
プリンタ５は、運転診断支援サーバ４から、プリントデータを受信して運転実技成績表を運転実技成績表のフォーマットでプリントする（Ｓ８）。
通信装置２がデジタルペンシステム管理サーバ機能を搭載している場合は、Ｓ２，Ｓ３は省略される。
また、プリンタが記録媒体からプリント情報を取得する場合は、Ｓ７の後に記録媒体を作成するステップがプラスされる。
また、ここでは、紙媒体である運転実技診断表，運転実技成績表の作成ステップは省略している。
【手続補正１３】
【補正対象書類名】明細書
【補正対象項目名】００３５
【補正方法】変更
【補正の内容】
【００３５】
【図１】本実施の形態の運転実技診断支援システムを構築するための装置や運転実技診断表等について説明するための図である。
【図２】本実施の形態の運転実技診断支援システムで使用される運転実技診断表の一例について説明するための図である。
【図３】本実施の形態の運転実技成績表の一例について説明するための図である。
【図４】本実施の形態の運転実技診断支援システムを構築するための装置と装置の主な役割について説明するための図である。
【図５】診断者が運転実技診断表に運転状況を記載する手順の一例について説明するための図である。
【図６】運転実技診断表の減点項目別減点数の一例について説明するため図である。
【図７】総合判定結果と総合点との関連について説明するための図である。
【図８】デジタルペンの一例について説明するための図である。
【図９】専用ドットパターンの一例について説明するための図である。
【手続補正１４】
【補正対象書類名】明細書
【補正対象項目名】００３６
【補正方法】変更
【補正の内容】
【００３６】
１      デジタルペン
２      通信装置
３      デジタルペンシステム管理サーバ
４      運転実技診断支援サーバ
５      プリンタ
６      運転実技診断表
７      運転実技成績表
６２    運転実技診断表のチェックマーク記載欄
６１，７１  指定路上コース図
６３，７３  所見記載欄
６４，７４  運転者情報欄
６５    送信ボックス
７２    運転実技成績表のチェックマーク記載欄
１０１  筐体
１０２  通信部
１０３  記憶部
１０４  制御部
１０５  撮像部
１０６  筆記部
１０７  圧力センサ
１０８  インクカートリッジ
６２１，７２１  チェックマーク
７１１  減点発生地点